【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記採光手段は、隣接する一対の山部に取り付けられる取付部材と、前記取付部材に装着されるドーム部材と、前記取付部材の水上側又は水下側に隣接して取り付けられるパネル部材と、を備え、前記パネル部材に関連して、前記一対の山部の間には、前記パネル部材を下方より支持するための支持プレート部材が架け渡され、前記支持プレート部材には、略平行に延びる凹部及び凸部が交互に形成されていることを特徴とする採光装置。
【請求項２】
前記支持プレート部材の前記凹部及び凸部はそれぞれ、前記一対の山部の延設方向に対して略垂直に延びていることを特徴とする請求項１に記載の採光装置。
【請求項３】
前記パネル部材は矩形状且つ平板状に構成され、前記パネル部材の両側端部にはそれぞれ、外側斜め下方に延びる帯状のカバー部が設けられ、前記カバー部は、その先端部が前記山部の外側面に近接していることを特徴とする請求項１又は２に記載の採光装置。
【請求項４】
前記カバー部のばたつきを防止するためのばたつき防止部材を更に備え、前記ばたつき防止部材は取付ネジにより前記山部に固定されると共に、前記ばたつき防止部材の端部は前記カバー部に連結されることを特徴とする請求項３に記載の採光装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明の請求項１に記載の採光装置では、屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記採光手段は、隣接する一対の山部に取り付けられる取付部材と、前記取付部材に装着されるドーム部材と、前記取付部材の水上側又は水下側に隣接して取り付けられるパネル部材と、を備え、前記パネル部材に関連して、前記一対の山部の間には、前記パネル部材を下方より支持するための支持プレート部材が架け渡され、前記支持プレート部材には、略平行に延びる凹部及び凸部が交互に形成されていることを特徴とする。
【手続補正８】
【補正対象書類名】明細書
【補正対象項目名】００１５
【補正方法】変更
【補正の内容】
【００１５】
また、本発明の請求項２に記載の採光装置では、前記支持プレート部材の前記凹部及び凸部はそれぞれ、前記一対の山部の延設方向に対して略垂直に延びていることを特徴とする。
また、本発明の請求項３に記載の採光装置では、前記パネル部材は矩形状且つ平板状に構成され、前記パネル部材の両側端部にはそれぞれ、外側斜め下方に延びる帯状のカバー部が設けられ、前記カバー部は、その先端部が前記山部の外側面に近接していることを特徴とする。
また、本発明の請求項４に記載の採光装置では、前記カバー部のばたつきを防止するためのばたつき防止部材を更に備え、前記ばたつき防止部材は取付ネジにより前記山部に固定されると共に、前記ばたつき防止部材の端部は前記カバー部に連結されることを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明の採光装置によれば、隣接する一対の山部の間には、パネル部材を下方より支持するための支持プレート部材が架け渡されている。支持プレート部材には、略平行に延びる凹部及び凸部が交互に形成されているので、支持プレート部材を軽量化することができるとともにその支持強度を高めることができる。従って、作業員がパネル部材の上に乗るなどした際に、パネル部材が下方に撓んで変形することがないので、例えばパネル部材の材質を剛性の低い金属にする、あるいはパネル部材の厚みを小さくするなどして、パネル部材の重量を小さくすることができる。これにより、パネル部材を容易に運搬することができ、採光装置の施工を容易に行うことができる。
【手続補正１９】
【補正対象書類名】明細書
【補正対象項目名】００２６
【補正方法】変更
【補正の内容】
【００２６】
また、本発明の採光装置によれば、支持プレート部材の凹部及び凸部はそれぞれ、山部の延設方向に対して略垂直に延びているので、パネル部材を支持プレート部材に支持させた際に、支持プレート部材が下方に撓み難くなり、パネル部材を安定して支持させることができる。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００５１
【補正方法】変更
【補正の内容】
【００５１】
その後、支持プレート部材１００を上方より覆うようにしてパネル部材１８を配設し、取付ネジ１２４（螺着部材を構成する）を支持プレート部材１００を通してプレート固定部材１１０のプレート部１１２の両端部（具体的には、一対のハゼ継ぎ部９２の外側に対応する部位）に螺着する。これにより、パネル部材１８は、支持プレート部材１００によって下方より支持された状態で、折板屋根６に取り付けられる（図５、図７及び図８参照）。この取付状態においては、パネル部材１８の他端部（水下側の端部）はベース部２２の一端部（水上側の端部）の上側に重ね合わされ、パネル部材１８の他端部とベース部２２の一端部とが取付ネジ１２６及びコーキング剤１２８により相互に固定される（図８及び図９参照）。なお、パネル部材１８の他端部とベース部２２の一端部との間において、取付ネジ１２６を螺着する箇所には例えばブチルゴム等のゴム部材１２９を介在させることが好ましい。また、パネル部材１８のカバー部６６を内側に折り曲げ、その先端部を上側折板屋根材８２の山部８８の外側面に近接させる。
【手続補正２５】
【補正対象書類名】明細書
【補正対象項目名】００６０
【補正方法】変更
【補正の内容】
【００６０】
更に、パネル部材１８に関連して、パネル部材１８のカバー部６６のばたつきを防止するためのばたつき防止部材１３８が設けられている（図１２参照）。ばたつき防止部材１３８は、上側折板屋根材８２の山部８８の形状に対応して断面略逆Ｖ字状に構成されるとともに、パネル部材１８の長さ方向に延びる薄板状に構成されている。ばたつき防止部材１３８の一端部側は、プレート固定部材１１０のボルト受け部１１４と上側折板屋根材８２の山部８８との間に挟持され、その他端部側は、上側折板屋根材８２の山部８８の外側面に沿って外側斜め下方に延びている。ばたつき防止部材１３８の他端部には略逆Ｖ字状に折り返された爪部１４０が設けられ、この爪部１４０は、パネル部材１８のカバー部６６に設けられた雨返し部６８と相互に連結されている。ばたつき防止部材１３８の他端部側は、取付ネジ１４２により上側折板屋根材８２の山部８８に固定されている。なお、ばたつき防止部材１３８と上側折板屋根材８２との間において、取付ネジ１４２を螺着する部位には、例えばブチルゴム等のゴム部材（図示せず）を介在させるのが好ましい。このようにばたつき防止部材１３８を設けることにより、パネル部材１８のカバー部６６がばたつき防止部材１３８を介して折板屋根６に固定されるようになる。これにより、例えば強風による風圧でカバー部６６がばたつくのを防止することができ、パネル部材１８を折板屋根６に安定して取り付けることができる。
【手続補正２６】
【補正対象書類名】図面
【補正対象項目名】図４
【補正方法】変更
【補正の内容】
【図４】
2012136855.tif 000001